(57)【要約】【課題】ねじ止めによる樹脂製のプレート本体21の変形を防止できる配線装置用プレート12を提供する【解決手段】配線装置用プレート12は、樹脂製のプレート本体21と一対のねじ受け部材22とを備える。プレート本体21は、中央に配線器具13を取り付ける開口部24を有する長方形枠状に形成し、長手方向の両端部にねじ受け部材取付部26を設ける。ねじ受け部材22は、金属にて形成するとともにねじ挿通孔39を設け、プレート本体21のねじ受け部材取付部26に取り付ける。配線装置用プレート12を配線ボックスに取り付けるねじをねじ受け部材22で受け止める。【選択図】図１
2010148339.tif 000002
【特許請求の範囲】
【請求項１】
中央に開口部を有する長方形枠状に形成され、その短手方向の開口部の両側縁部に開口部を挟んで互いに対向して設けられた配線器具取付部、および長手方向の両端部に設けられたねじ受け部材取付部を有する樹脂製のプレート本体と；
プレート本体の材質よりも剛性の高い材質で形成されているとともにねじ挿通孔を有し、プレート本体の各ねじ受け部材取付部に取り付けられた一対のねじ受け部材と；
を具備していることを特徴とする配線装置用プレート。
【請求項２】
ねじ受け部材は、断面略コ字形に形成されている
ことを特徴とする請求項１記載の配線装置用プレート。
【請求項３】
プレート本体の短手方向に対応した方向のねじ受け部材の寸法が配線装置用プレート取付用の壁面材に設けられた設置孔の寸法より大きく、かつ、ねじ受け部材の少なくとも一部が設置孔よりもプレート本体の長手方向に突出している
ことを特徴とする請求項１または２記載の配線装置用プレート。
【請求項４】
請求項１ないし３いずれか一に記載の配線装置用プレートと；
配線装置用プレートに取り付けられる配線器具と；
配線装置用プレートの前面に被着される化粧パネルと；
を具備していることを特徴とする配線装置。
【発明の詳細な説明】
【技術分野】
【０００１】
本発明は、配線装置に用いられる配線装置用プレート、およびこの配線装置用プレートを用いた配線装置に関する。
【背景技術】
【０００２】
従来、配線装置は、例えばスイッチやコンセントなどの配線器具を保持し、壁面材に設けられる設置孔を通じて、壁面材の裏側に設置されている配線ボックスにねじ止めして設置するように構成されている。この配線装置では、配線器具を保持して配線ボックスに取り付けられる配線装置用プレート、およびこの配線装置用プレートの前面に被着されて覆う化粧パネルを備えている。
【０００３】
配線装置用プレートは、樹脂製で、中央に開口部を有する長方形枠状に形成され、その短手方向の開口部の両側縁部には開口部を挟んで互いに対向する配線器具取付部が設けられ、長手方向の両端部には配線ボックスにねじ止めするためのねじを挿通するねじ挿通孔が設けられている。
【０００４】
ところで、配線ボックスは、壁面材よりも内側に設置されている。そのため、配線装置用プレートを配線ボックスにねじで取り付ける場合、配線装置用プレートは周辺部が壁面材に当接するが配線ボックスからは離反しているため、ねじを強く締め付けると、樹脂製の配線装置用プレートが壁面材の表面より配線ボックス側に押し込まれるように変形し、配線器具が指定の位置よりも内側に配置されてしまう。さらに、配線装置用プレートへの化粧パネルの被着がうまくいかなくなったり、配線装置用プレートが破損する不具合がある。
【０００５】
そこで、配線装置用プレートの前面にこの配線装置用プレートと略同形状である長方形枠状で金属製の補強部材を配置し、設置時のねじ止めによる配線装置用プレートの変形を防止するようにした構成がある（例えば、特許文献１参照。）。
【特許文献１】特開２００８−１６０８９８号公報（第６−８頁、図１）
【発明の開示】
【発明が解決しようとする課題】
【０００６】
しかしながら、従来の配線装置用プレートでは、ねじ止めによる変形を防止するために、配線装置用プレートの前面に金属製の補強部材を配置しているが、この補強部材は配線装置用プレートと略同形状の長方形枠状に形成されているため、ねじ止めに関係のない部分についても補強することになり、材料の使用量が多く、コストが高くなる不都合がある。
【０００７】
本発明は、このような点に鑑みなされたもので、従来のように長方形枠状の補強部材を用いることなく、ねじ止めによるプレート本体の変形を防止できる配線装置用プレート、およびこの配線装置用プレートを用いた配線装置を提供することを目的とする。
【課題を解決するための手段】
【０００８】
請求項１記載の配線装置用プレートは、中央に開口部を有する長方形枠状に形成され、その短手方向の開口部の両側縁部に開口部を挟んで互いに対向して設けられた配線器具取付部、および長手方向の両端部に設けられたねじ受け部材取付部を有する樹脂製のプレート本体と；プレート本体の材質よりも剛性の高い材質で形成されているとともにねじ挿通孔を有し、プレート本体の各ねじ受け部材取付部に取り付けられた一対のねじ受け部材と；を具備しているものである。
【０００９】
プレート本体は、例えば、規格化されている１モジュールサイズの配線器具３モジュールサイズの配線器具を取り付け可能とされており、開口部の後面側から前方へ突出するように配線器具が挿入され、開口部の両側縁部に開口部を挟んで互いに対向して設けられた配線器具取付部によって配線器具を保持可能としている。
【００１０】
プレート本体の樹脂材料には、例えば、熱可塑性樹脂など、いずれを用いてもよい。
【００１１】
ねじ受け部材は、プレート本体の材質よりも剛性の高い材質であれば、例えば、金属製でも、樹脂製でもよい。ねじ受け部材をプレート本体に取り付けるには、嵌め込み構造を用いても、プレート本体の一部をねじ受け部材に対して熱溶着しても固定してもよい。
【００１２】
請求項２記載の配線装置用プレートは、請求項１記載の配線装置用プレートにおいて、ねじ受け部材は、断面略コ字形に形成されているものである。
【００１３】
ねじ受け部材は、例えば、プレート本体の長手方向に対応した方向の両側辺が折り曲げられて断面略コ字形に形成されている。
【００１４】
請求項３記載の配線装置用プレートは、請求項１または２記載の配線装置用プレートにおいて、プレート本体の短手方向に対応した方向のねじ受け部材の寸法が配線装置用プレート取付用の壁面材に設けられた設置孔の寸法より大きく、かつ、ねじ受け部材の少なくとも一部が設置孔よりもプレート本体の長手方向に突出しているものである。
【００１５】
設置孔が設けられる壁面材の裏面側には配線ボックスが設置され、この配線ボックスは設置孔を通じて配線器具が収容されるとともに配線装置用プレートがねじ止め設置されている。一般的に、配線ボックスの開口よりも、壁面材に設けられる設置孔が小さい。
【００１６】
プレート本体の短手方向に対応した方向のねじ受け部材の寸法が配線装置用プレート取付用の壁面材に設けられた設置孔の寸法より大きく、かつ、ねじ受け部材の少なくとも一部を設置孔よりもプレート本体の長手方向に突出しているため、ねじ受け部材のねじ止め力を壁面材によって受け止めることができる。
【００１７】
請求項４記載の配線装置用は、請求項１ないし３いずれか一に記載の配線装置用プレートと；配線装置用プレートに取り付けられる配線器具と；配線装置用プレートの前面に被着される化粧パネルと；を具備しているものである。
【００１８】
配線器具は、例えば、スイッチ、コンセント、あるいはその他の配線器具のいずれでも構わない。
【００１９】
化粧パネルは、例えば、スイッチの操作部やコンセントの接続部などが露出するような窓孔が形成されている。
【発明の効果】
【００２０】
請求項１記載の配線装置用プレートによれば、プレート本体の材質よりも剛性の高い材質で形成されるとともにねじ挿通孔を有する一対のねじ受け部材を、プレート本体の長手方向の両端部に取り付ける構成としているため、従来のように長方形枠状の補強部材を用いることなく、フレート本体のねじ止めに必要な部分に取り付けたねじ受け部材でねじ止め作用を受け、プレート本体の変形を確実に防止できる。
【００２１】
請求項２記載の配線装置用プレートによれば、請求項１記載の配線装置用プレートの効果に加えて、ねじ受け部材を断面略コ字形に形成しているため、ねじ受け部材の強度を高め、配線装置用プレートのねじ止めによる取付強度を向上できる。
【００２２】
請求項３記載の配線装置用プレートによれば、請求項１または２記載の配線装置用プレートの効果に加えて、プレート本体の短手方向に対応した方向のねじ受け部材の寸法を配線装置用プレート取付用の壁面材に設けられた設置孔の寸法より大きく、かつ、ねじ受け部材の少なくとも一部を設置孔よりもプレート本体の長手方向に突出しているため、プレート本体の変形を確実に防止できる。
【００２３】
請求項４記載の配線装置用によれば、配線装置用プレートのねじ止めによる変形を防止でき、配線器具を所定の位置に配設することができるとともに、化粧パネルを確実に被着できる。
【発明を実施するための最良の形態】
【００２４】
以下、本発明の一実施の形態を、図面を参照して説明する。
【００２５】
図１は配線装置のプレート本体およびねじ受け部材の正面図、図２はプレート本体の正面図、図３はプレート本体に化粧パネルを取り付けた正面図、図４は配線装置の側面方向から見た分解状態の断面図、図５は配線装置の底面方向から見た分解状態の断面図、図６は図１のＡ−Ａ視断面図、図７は図１のＢ−Ｂ視断面図である。
【００２６】
図３ないし図５に示すように、配線装置11は、配線装置用プレート12、この配線装置用プレート12に取り付けられる１つまたは複数の配線器具13（図１に示す）、配線装置用プレートの前面に取り付けられる化粧パネル14を備えている。
【００２７】
この配線装置11は、図示しない壁面材に設けられる設置孔を通じて、図２に示すように、壁面材の裏側に設置されている配線ボックス16にねじ止めして設置するように構成されている。配線ボックス16の前面には開口17が形成され、この開口17の上下の縁部に配線装置用プレート12をねじ止めする取付孔18が設けられている。配線ボックス16内には、配線器具13に接続される図示しないケーブルが引き込まれている。
【００２８】
また、図１および図２、さらに図６および図７に示すように、配線装置用プレート12は、縦長の長方形枠状のプレート本体21と、このプレート本体21の長手方向である上下方向の両端部の前面に取り付けられた一対のねじ受け部材22とを備えている。
【００２９】
プレート本体21は、例えば、熱可塑性樹脂などの樹脂製で、中央には配線器具13を取り付けるための縦長の開口部24が形成されている。
【００３０】
プレート本体21の短手方向である左右方向における開口部24の両側縁部には、例えば１モジュールサイズや３モジュールサイズの配線器具13を取り付けるための配線器具取付部25が開口部24を挟んで互いに対向形成されている。
【００３１】
プレート本体21の上下方向の両端部には、ねじ受け部材22を取り付けるねじ受け部材取付部26が形成されている。これらねじ受け部材取付部26には、開口部24と略同幅の取付開口27が形成されている。この取付開口27の上下方向の縁部には、プレート本体21の中央寄りの縁部に内側支持部28が形成され、プレート本体21の外側寄りの縁部に外側支持部29が形成されている。内側支持部28の取付開口27内に臨む内面には、複数であって一対の係止爪30が突出形成されている。これら係止爪30は、前面側を傾斜面とし、後面側をプレート本体21の前面と略平行な係止面としている。また、外側支持部29は、取付開口27内に突出する段部にて形成されている。
【００３２】
ねじ受け部材取付部26には、取付開口27の左右両側位置で、かつ内側支持部28と外側支持部29との間の中間となるプレート本体21の前面位置に、複数であって一対の係止片31が前方へ向けて突設されている。これら係止片31の先端には、プレート本体21の中央側へ向けて突出する係止爪32が形成されている。この係止爪32は、前面側を傾斜面とし、後面側をプレート本体21の前面と略平行な係止面としている。
【００３３】
さらに、プレート本体21の周辺部近傍には、化粧パネル14を取り付けるための複数の嵌込孔34が形成されている。
【００３４】
続いて、ねじ受け部材22は、プレート本体21の材質よりも剛性の高い材質である、例えば金属製で、基板部36、この基板部36の上下方向の両側辺から後面側であるプレート本体21側へ向けて折り曲げられた内側係合部37および外側係合部38を有する断面略コ字形に形成されている。ねじ受け部材22をプレート本体21に取り付けた際に、内側係合部37はプレート本体21の中央側に位置し、外側係合部38はプレート本体21の中央側に対して反対側の外側に位置する。
【００３５】
基板部36の中央には左右方向に長い長孔状のねじ挿通孔39が形成され、このねじ挿通孔39の周囲には基板部36の表面側に突出する複数のダボ40が形成されている。ダボ40は、左右方向および上下方向に沿って長いものがあり、上下左右のいずれの方向に対してもねじ受け部材22の強度が得られるように構成されている。
【００３６】
内側係合部37は、左右方向の中央域の突出部37aが左右両側域より後方へ延設されていて、プレート本体21の取付開口27に挿入されるとともに内側支持部28の内面に係合される。外側係合部38は、ねじ受け部材22の左右方向の中央域のみに設けられていて、プレート本体21の段状の外側支持部29に係合される。内側係合部37には、ねじ受け部材22をプレート本体21に取り付けた際に、内側支持部28の各係止爪30が嵌り込んで外れ止め係止する複数であって一対の係止孔41が形成されている。
【００３７】
ねじ受け部材22の左右方向の両側で、プレート本体21の中央側に対して反対側の外側の縁部には、ねじ受け部材22をプレート本体21に取り付けた際に、プレート本体21の各係止爪32が嵌り込んで外れ止め係止する係止縁部42が形成されている。
【００３８】
ねじ受け部材22の左右方向および上下方向の寸法は、壁面材の設置孔および配線ボックス16の開口17の寸法より大きい寸法に形成されている。
【００３９】
また、配線器具13は、例えば１モジュールサイズや３モジュールサイズのスイッチやコンセントなどであり、配線装置用プレート12の開口部24の後面側から前方へ突出するように挿入され、開口部24の両側縁部に開口部24を挟んで互いに対向して設けられた配線器具取付部25によって保持される。
【００４０】
また、化粧パネル14は、配線装置用プレート12の前面に被着して覆うことが可能な寸法形状に形成されており、中央には配線器具13の操作部や配線器具13自体が露出する縦長の窓孔51が形成されている。化粧パネル14の後面には、配線装置用プレート12の各嵌込孔34に対して着脱可能に嵌め込まれる複数の嵌込片52が突設されている。
【００４１】
次に、本実施の形態の作用を説明する。
【００４２】
ます、配線装置用プレート12の組立について説明する。
【００４３】
プレート本体21の各ねじ受け部材取付部26に対して、前方から各ねじ受け部材22を嵌め込んで取り付ける。
【００４４】
すなわち、ねじ受け部材22の内側係合部37の突出部37aおよび外側係合部38を、プレート本体21の内側支持部28および外側支持部29の内側に位置合わせて前方から嵌め込み移動させることにより、ねじ受け部材22の内側係合部37の突出部37aおよび外側係合部38を、プレート本体21の内側支持部28および外側支持部29の内側に嵌め込み、ねじ受け部材22の各係止孔41が内側支持部28の各係止爪30に係止されるとともに、ねじ受け部材22の各係止縁部42がプレート本体21から突出する各係止爪32に係止される。
【００４５】
このねじ受け部材22をプレート本体21に取り付けた状態では、内側係合部37の突出部37aおよび外側係合部38がプレート本体21の内側支持部28および外側支持部29に係合するため、上下方向および左右方向の位置とも位置決め規制され、さらに、基板部36の左右両端後面がプレート本体21の前面に当接するとともにねじ受け部材22に各係止爪30，32が係止してプレート本体21に対する着脱方向つまり前後方向の位置が位置決め規制される。したがって、ねじ受け部材22がプレート本体21に強固に取り付けられている。また、ねじ受け部材22のねじ挿通孔39はプレート本体21の取付開口27を通じてプレート本体21の後方へ対向されている。
【００４６】
続いて、配線装置11の設置について説明する。
【００４７】
配線装置用プレート12の開口部24の後面側から前方へ突出するように配線器具13を挿入し、開口部24の両側縁部に開口部24を挟んで互いに対向して設けられた配線器具取付部25によって配線器具13を保持する。配線ボックス16から壁面材の設置孔を通じて引き出したケーブルを配線器具13に接続する。
【００４８】
引き出したケーブルや配線器具13の後部を壁面材の設置孔を通じて配線ボックス16に挿入しながら、配線装置用プレート12を壁面材の設置孔を介して配線ボックス16の前面側に配置し、図示しないねじを配線装置用プレート12の各ねじ受け部材22のねじ挿通孔39を通じて配線ボックス16の取付孔18にねじ込み、配線装置用プレート12を配線ボックス16に対して締め付け固定する。
【００４９】
このとき、樹脂製のプレート本体21のねじを受ける部分に金属製のねじ受け部材22を用いているため、プレート本体21の変形を防止することができる。
【００５０】
特に、ねじ受け部材22を断面略コ字形に形成しているため、ねじ受け部材22の強度が高く、プレート本体21のねじ止めによる取付強度をより向上できる。
【００５１】
さらに、ねじ受け部材22の左右方向および上下方向の寸法を、壁面材の設置孔の左右方向および上下方向に突出するように形成されているため、ねじ受け部材22の両端部が壁面材を介してねじ止め力を受け止めることができ、プレート本体21の変形を確実に防止できる。
【００５２】
そのため、最後に化粧パネル14を配線装置用プレート12に被着して取り付けるが、配線装置用プレート12の変形が発生しにくいため、配線器具13を所定の位置に配置できるとともに、化粧パネル14を配線装置用プレート12に確実に装着できる。
【００５３】
このように、配線装置用プレート12では、プレート本体21の材質よりも剛性の高い材質で形成されるとともにねじ挿通孔39を有する一対のねじ受け部材22を、プレート本体21に取り付ける構成としているため、従来のように長方形枠状の補強部材を用いることなく、フレート本体21のねじ止めに必要な部分に取り付けたねじ受け部材22でねじ止め作用を受け、プレート本体21の変形を確実に防止できる。そのため、従来のように長方形枠状の補強部材を用いる場合に比べて、ねじ受け部材22に使用する材料の使用量が少なくなり、コストを低減することができる。
【００５４】
なお、ねじ受け部材22をプレート本体21に取り付けるには、上述のように嵌め込み構造を用いれば、容易に組み立てることができるが、例えばプレート本体21の一部をねじ受け部材22に対して熱溶着しても固定しても構わない。
【図面の簡単な説明】
【００５５】
【図１】本発明の一実施の形態を示す配線装置のプレート本体およびねじ受け部材の正面図である。
【図２】同上プレート本体の正面図ある。
【図３】同上プレート本体に化粧パネルを取り付けた正面図である。
【図４】同上配線装置の側面方向から見た分解状態の断面図である。
【図５】同上配線装置の底面方向から見た分解状態の断面図である。
【図６】同上図１のＡ−Ａ視断面図である。
【図７】同上図１のＢ−Ｂ視断面図である。
【符号の説明】
【００５６】
11    配線装置
12    配線装置用プレート
13    配線器具
14    化粧パネル
21    プレート本体
22    ねじ受け部材
24    開口部
25    配線器具取付部
26    ねじ受け部材取付部
39    ねじ挿通孔
【図１】
2010148339.tif 000003
【図２】
2010148339.tif 000004
【図３】
2010148339.tif 000005
【図４】
2010148339.tif 000006
【図５】
2010148339.tif 000007
【図６】
2010148339.tif 000008
【図７】
2010148339.tif 000009